(57)【要約】【課題】使用者の嗜好に対応させた使用形態を反映させることができ、さらに使用者が選局したい放送局を分かり易くする。【解決手段】テレビジョン受信機１０は、プリセット設定をする際、まず画面を複数の子画面に分割する。さらに、分割した子画面に受信可能な放送局の番組を表示して、使用者が任意のチャンネル番号に画面に表示された放送局を割り当てを行う。これにより、使用者はチャンネル番号と放送局との設定を任意で選択できるため、使用者の嗜好に対応させた使用形態を反映させることができる。【選択図】図４
2008172344.tif 000002
【特許請求の範囲】
【請求項１】
チューナーが受信したテレビジョン放送の放送局と操作装置のチャンネルキーとを対応させて登録するプリセット設定を行うテレビジョン受信機において、
所定の演算を実行することで当該テレビジョン受信機を制御する制御部と、
上記制御部が、上記操作装置を用いた操作を受け付けて、上記チューナーが受信したテレビジョン放送を各チャンネルキーに割り当てるプリセット設定プログラムを記録する不揮発性メモリとを有し、
上記プリセット設定プログラムは、上記チューナーが受信したテレビジョン放送の番組情報を上記制御部が取得するステップと、
上記制御部が、画面を複数の子画面に分割して表示するステップと、
上記制御部が、上記取得した番組情報の内、番組情報が類似する放送局を一画面に表示される各子画面に表示するステップと、
上記制御部が、上記子画面の付近に上記子画面に表示された放送局の番組情報を表示するステップと、
上記子画面に表示された放送局とチャンネルキーとの割り当て操作を受け付けるステップと、
上記受け付けた放送局とチャンネルキーとの割り当てに基づいて、上記画面に表示した放送局を上記各チャンネルキーに割り当てるステップとから構成されることを特徴とするテレビジョン受信機。
【請求項２】
受信したテレビジョン放送の放送局と操作装置のチャンネルキーとを対応させて登録するプリセット設定を行うテレビジョン受信機において、
テレビジョン放送を受信する受信手段と、
上記受信手段が受信したテレビジョン放送をチャンネルキーに割り当てるに当たり、画面に上記受信された放送局の番組を表示する選択画面表示手段と、
画面に表示された上記放送局とチャンネルキーとの割り当て操作を受け付ける割り当て操作受付け手段と、
上記割り当て操作受付け手段が受け付けた放送局とチャンネルキーとの割り当てに基づいて、上記画面に表示した放送局を上記各チャンネルキーに割り当てるチャンネルキー割り当て手段とを有することを特徴とするテレビジョン受信機。
【請求項３】
上記選択画面表示手段は、画面を複数の子画面に分割するとともに、上記分割した各子画面に受信された放送局の番組を表示することを特徴とする請求項２に記載のテレビジョン受信機。
【請求項４】
更に、受信したテレビジョン放送の番組情報を取得する番組情報取得手段を有し、
上記選択画面表示手段は、上記番組情報取得手段が取得した番組情報に基づいて、受信したテレビジョン放送の放送局を画面上に表示することを特徴とする請求項２または請求項３のいずれか一項に記載のテレビジョン受信機。
【請求項５】
上記選択画面表示手段は、上記番組情報取得手段が取得した番組情報の内、番組情報の類似したものを同一画面上で分割された各子画面に表示することを特徴とする請求項４に記載のテレビジョン受信機。
【請求項６】
上記選択画面表示手段は、上記番組情報取得手段が取得した番組情報を、上記子画面に表示される放送局に対応させて表示することを特徴とする請求項５に記載のテレビジョン受信機。
【請求項７】
上記選択画面表示手段は、受信手段が受信する放送局に同一番組が存在する場合は、重複する放送局の一方を非表示とすることを特徴とする請求項４〜請求項６のいずれか一項に記載のテレビジョン受信機。
【請求項８】
上記受信手段は、所定周期ごとに受信周波数を切り替えることで上記複数の子画面に受信した放送局の番組を表示することを特徴とする請求項３〜請求項７のいずれか一項に記載のテレビジョン受信機。
【請求項９】
上記選択画面表示手段は、上記各子画面に表示された放送局の内、上記チャンネルキー割り当て手段にてチャンネルキーに割り当てられた放送局を画面から非表示とすることを特徴とする請求項３〜請求項８のいずれか一項に記載のテレビジョン受信機。
【発明の詳細な説明】
【技術分野】
【０００１】
受信したテレビジョン放送の各放送局をチャンネルキーに割り当てるプリセット操作が可能なテレビジョン受信機に関し、特に受信したテレビジョン放送を手動で各チャンネルキーに割り当て可能なテレビジョン受信機に関する。
【背景技術】
【０００２】
現在、テレビジョン放送としては、地上波、ケーブルを介して送信される放送、並びに衛星放送等が存在する。さらに、地上波もディジタル放送へ移行過程であり、将来、完全にディジタル放送へ移行する予定である。上述したテレビジョン放送の変化は、放送を行う放送局数の増加をもたらすこととなる。ディジタル放送を一例とすれば、テレビジョン放送信号に、放送局の搬送波に対応した物理放送局と、それに重畳して送信される仮想放送局とが存在し、一つの搬送波で複数の放送局を送信することが可能となる。そのため、テレビジョン受信機側も使用者に対して数ある放送局を選択しやすくする工夫がなされている。
【０００３】
数ある放送局を使用者が選択し易くする方法として以下の方法が開示されている。つまり、画面上に受信可能な放送局を表示する複数の子画面を表示させる。これにより、使用者が放送局を選択する際、子画面を見ることで放送局選択の補助とすることができる（例えば、特許文献１、特許文献２参照。）。
【０００４】
また、電子番組表を用いて放送局を選択する際、使用者の放送局選択を補助する方法として以下の方法が開示されている。つまり、画面に表示された電子番組表に、放送局を表す文字列または画像を表示する領域を儲けている。これにより、使用者は電子番組表内で放送局を容易に特定することが可能である（例えば、特許文献３参照。）。
【０００５】
さらに、電子番組表を用いて放送局を選択する際、使用者の放送局選択を補助する方法として以下の方法が開示されている。つまり、電子番組表に番組タイトルや放送予定時刻だけでなく、番組の詳細情報を多重化させている。これにより、使用者は電子番組表を用いて、放送局で放送される番組のより詳細な情報を得ることが可能となる（例えば、特許文献４参照。）。
【特許文献１】特開平１１−１６４２１５
【特許文献２】特開２０００−３３３０９５
【特許文献３】特開２００６−２１０９６６
【特許文献４】特開２００３−９２７１２
【発明の開示】
【発明が解決しようとする課題】
【０００６】
上述した特許文献１〜特許文献４の発明は、数ある放送局をどのように選択を行うかを第一の目標としている。しかしながら、放送局数が増加していけば、使用者が視聴する放送局の中には視聴を頻繁に行う放送局と視聴を頻繁に行わない放送局とが存在することとなる。具体的には、使用者の嗜好が例えばスポーツ放送局に特化したものであれば、おのずとスポーツ放送局の視聴頻度が高くなる。しかしながら、前述した特許文献１〜特許文献４の発明では、使用者の視聴頻度等に基づく使用形態まで反映させることはできなかった。
【０００７】
本発明は、上記課題にかんがみてなされたもので、使用者の嗜好に対応させた使用形態を反映させることができ、さらに使用者が選局したい放送局を分かり易くするテレビジョン受信機の提供を目的とする。
【課題を解決するための手段】
【０００８】
上記課題を解決するために、本発明の請求項２にかかる発明では、受信したテレビジョン放送の放送局と操作装置のチャンネルキーとを対応させて登録するプリセット設定を行うテレビジョン受信機において、
テレビジョン放送を受信する受信手段と、上記受信手段が受信したテレビジョン放送をチャンネルキーに割り当てるに当たり、画面に上記受信された放送局の番組を表示する選択画面表示手段と、画面に表示された上記放送局とチャンネルキーとの割り当て操作を受け付ける割り当て操作受付け手段と、上記割り当て受付け手段が受け付けた放送局とチャンネルキーとの割り当てに基づいて、上記画面に表示した放送局を上記各チャンネルキーに割り当てるチャンネルキー割り当て手段とを有する成としてある。
【０００９】
プリセット設定は、チャンネルキーを操作した際、受信したテレビジョン放送の放送局が画面に表示されるよう設定するものである。具体的には、テレビジョン受信機はチューナーにてＵＨＦ帯またはＶＨＦ帯のいずれかのテレビジョン放送を受信し、映像信号や音声信号を復調する。このとき、チューナーは、受信するテレビジョン放送の周波数と同調を取ることにより特定の周波数帯にて送信されるテレビジョン放送の放送局を選局して受信する。つまり、プリセット操作とは上述した同調周波数とチャンネルキーとの対応を取るものである。
【００１０】
上記のように構成した発明では、プリセット設定を行う際、選択画面表示手段は、受信手段が受信した放送局の番組を画面上に表示する。次に、画面に表示可能な放送局が表示された状態で、割り当て操作受付け手段は、画面に表示された放送局とチャンネルキーとの割り当て操作を受け付ける。さらに、チャンネルキー割り当て手段は、割り当て操作受付け手段が受け付けた割り当て内容に基づいて、画面に表示した放送局とチャンネルキーとを対応させるよう割り当てを行う。
【００１１】
本発明に係るテレビジョン受信機のプリセット操作は、使用者が選択画面表示手段が画面に表示する受信可能な放送局を確認しつつ、割り当て操作受付け手段が受け付けた割り当て内容に基づいて、チャンネルキーに対応させる放送局を割り当てるプリセット設定を実行することができる。そのため、使用者が画面を確認しつつ任意のチャンネル番号に放送局を割り当てることが可能となる。故に、チャンネルキーに割り当てる放送局は、使用者の嗜好に対応させたものとすることが可能となり、使用者の使用形態を反映させることができる。さらに使用者が視聴したい放送局に対応したチャンネルキーを選択することができ、結果として使用者が選局したい放送局を分かり易くすることとなる。
【００１２】
ここで、選択画面表示手段の構成は、テレビジョン受信機の表示機能を利用できるものであればよく、例えば、ＣＰＵを用いた制御部による制御であってもよい。また、所定の回路にて構成されるものであってもよい。また、割り当て操作受付け手段は使用者の操作を受け付けるものであればよく、リモコン装置、外付けの入力装置、さらにはタッチ画面等を挙げることができる。さらに、チャンネルキー割り当て手段は、受け付けた操作に基づいて、設定を行うものであればよく、制御部が演算を行うためのプログラム等が考えられる。無論、回路で構成するものであってもよい。
【００１３】
また、受信可能な放送局とチャンネルキーとの割り当てを行う際、画面に放送局を表示する方法を工夫することでさらに、使用者の使い勝手を向上することが可能となる。そのため、請求項３に記載の発明では、上記選択画面表示手段は、画面を複数の子画面に分割するとともに、上記分割した各子画面に受信された放送局の番組を表示する構成としてある。
【００１４】
上記のように構成した発明では、放送局とチャンネルキーとを割り当てる際、選択画面表示手段は、画面を複数の子画面に分割するとともに、分割した各子画面に受信した放送局を表示する。このため、使用者は、現在表示された放送局を一つの画面上で複数確認しながら、各チャンネルキーに割り当てる放送局を選択することが可能となる。そのため、使用者が放送局をチャンネルキーに割り当てる際、使い勝手を向上することができる。
【００１５】
そして、選択画面表示手段が画面に放送局を表示する手法として、テレビジョン放送に重畳した番組情報を基に画面に表示する放送局を選択するものであってもよい。そのため、請求項４に記載の発明では、更に、受信したテレビジョン放送の番組情報を取得する番組情報取得手段を有し、上記選択画面表示手段は、上記番組情報取得手段が取得した番組情報に基づいて、受信した放送局の番組を画面に表示する構成としてある。
【００１６】
上記のように構成した発明では、選択画面表示手段は、番組情報取得手段が取得した番組情報に基づいて画面上に放送局を表示させる。つまり、画面に表示する放送局が有する番組情報をスポーツとして登録した場合は、画面上に番組情報にスポーツが関連する情報を有する放送局を選択画面表示手段は選択して表示させる。番組情報は通常電子番組表等のＳＩ（Service Information)より取得することとなる。これにより、選択画面に表示する放送局をユーザの嗜好に合ったものとすることができ、より、使い勝手を向上することができる。
【００１７】
さらに、番組情報を用いて画面上に放送局を表示する具体的な手法として、請求項５に記載の発明では、上記選択画面表示手段は、上記番組情報取得手段が取得した番組情報の内、番組情報の類似したものを同一画面上の各子画面に表示する構成としてある。
【００１８】
上記のように構成した発明では、選択画面表示手段は、番組情報取得手段が取得した類似した番組情報を持つ放送局を同一画面上の各子画面に表示する。これにより、画面上では、特定の番組情報を有する放送局が子画面に表示されることとなる。そのため、使用者は、一画面に表示される各放送局を例えば、チャンネルキーの連番で表示することが可能となる。故に、使用者は視聴頻度が高いと思われる放送局を、番組情報を基に画面上で表示させ、特定のチャンネルキーに割り当てることが可能となる。これにより一層使い勝手を向上することが可能となる。
【００１９】
また、選択画面表示手段が画面上に放送局を表示する具体的な方法として、請求項６に記載の発明では、上記選択画面表示手段は、上記番組情報取得手段が取得した番組情報を、上記子画面に表示される放送局に対応させて表示する構成としてある。
【００２０】
上記のように構成した発明では、選択画面表示手段は、番組情報を子画面に対応するよう画面上に表示する。具体的には、番組情報をその番組情報に対応する放送局が表示される子画面の近傍に表示する。そのため、使用者は子画面に表示される放送局だけでなく、近傍に表示される番組情報を確認することでプリセットの設定を行うことができる。故に、プリセット設定を行う際、各放送局の識別をより行い易くすることができる。
【００２１】
そして、選択画面表示手段が画面上に放送局を表示する他の具体的な手法として、請求項７に記載の発明では、上記選択画面表示手段は、受信手段が受信する放送局に同一放送局が存在する場合は、重複する放送局の一方を非表示とする構成としてある。
【００２２】
上記のように構成した発明では、選択画面表示手段は、同一放送局が受信されている場合は重複する放送局の一方を画面に表示しないようにする。例えば、ディジタル放送とアナログ放送とが混在して送信されている場合や、ディジタル放送においても、違う放送局で、さらには物理放送局と仮想放送局とで同一の放送局が放送されている場合がある。そのため、選択画面表示手段は、重複する放送局の一方を画面上で非表示とすることにより、プリセット設定の対象から除外する。これにより、放送局の割り当ての際、重複する放送局を除外してプリセットをより効率的に行うことができる。
【００２３】
さらに、受信手段が画面上の子画面に放送局を表示する手法としては、様々なものを考えることができる。そのため、請求項８に記載の発明では、上記受信手段は、所定周期ごとに受信周波数を切り替えることで上記複数の子画面に受信したテレビジョン放送の放送局を表示する構成としてある。
【００２４】
上記のように構成した発明では、受信手段は、所定周期ごとに受信周波数を切り替えることにより複数の放送局を一度に子画面上に表示することが可能となる。そのため、受信手段を子画面の数だけ設定する必要がなく、コスト面に対して有効とすることができる。  
【００２５】
また、選択画面表示手段の具体的な表示方法として、請求項９に記載の発明では、上記選択画面表示手段は、上記各子画面に表示された放送局の内、上記チャンネルキー割り当て手段にて割り当てられた放送局を画面から非表示とする構成としてある。
【００２６】
上記のように構成された発明では、画面上でチャンネルキーに割り当てられた放送局は、画面から非表示となる。そのため、使用者がどの放送局が割り当てられたかを確認することができ、より一層使い勝手を向上させることができる。
【００２７】
そして、上記課題を解決するための具体的な構成の一例として、請求項１に記載の発明では、チューナーが受信したテレビジョン放送の放送局と操作装置のチャンネルキーとを対応させて登録するプリセット設定を行うテレビジョン受信機において、
所定の演算を実行することで当該テレビジョン受信機を制御する制御部と、上記制御部が、使用者の上記操作装置を用いた操作を受け付けて、上記チューナーが受信したテレビジョン放送を各チャンネルキーに割り当てるプリセット設定プログラムを記録する不揮発性メモリとを有し、上記プリセット設定プログラムは、上記チューナーが受信したテレビジョン放送の番組情報を上記制御部が取得するステップと、上記制御部が、画面を複数の子画面に分割して表示するステップと、上記制御部が、上記取得した番組情報の内、番組情報が類似する放送局を一画面に表示される各子画面に表示するステップと、上記制御部が、上記子画面に表示した放送局の付近に上記子画面に表示された放送局の番組情報を表示するステップと、上記子画面に表示された放送局とチャンネルキーとの割り当て操作を受け付けるステップと、上記受け付けた放送局とチャンネルキーとの割り当てに基づいて、上記画面に表示した放送局を上記各チャンネルキーに割り当てるステップとから構成されている。
【発明の効果】
【００２８】
以上説明したように本発明によれば、使用者の嗜好に対応させた使用形態を反映させることができ、さらに使用者が選局したい放送局を分かり易くすることができる。
また請求項３にかかる発明によれば、使用者が放送局をチャンネルキーに割り当てる際、使い勝手を向上することができる。
そして請求項４にかかる発明によれば、選択画面に表示する放送局をユーザの嗜好に合ったものとすることができ、より、使い勝手を向上することができる。
さらに請求項５にかかる発明によれば、より一層使い勝手を向上することが可能となる。
【００２９】
また請求項６にかかる発明によれば、プリセット設定を行う際、各放送局の識別をより行い易くすることができる。
そして、請求項７にかかる発明によれば、放送局の割り当ての際、重複する放送局を除外してプリセットをより効率的に行うことができる。
さらに、請求項８にかかる発明によれば、コスト面に対して有効とすることができる。  また、請求項９にかかる発明によれば、使用者がどの放送局が割り当てられたかを確認することができ、より一層使い勝手を向上させることができる。
さらに請求項１のような、より具体的な構成において、上述した請求項２〜請求項９の各発明と同様の作用を奏することはいうまでもない。
【発明を実施するための最良の形態】
【００３０】
以下、下記の順序に従って本発明の実施の形態に係るテレビジョン受信機を説明する。（１）第一の実施の形態
（１−１）テレビジョン受信機の構成
（１−２）プリセット設定の方法
（２）第一の実施の形態のまとめ
（３）第二の実施の形態
（４）第二の実施の形態のまとめ
【００３１】
（１）第一の実施の形態
（１−１）テレビジョン受信機の構成 
以下、図１〜図５を参照して、この発明に係るテレビジョン受信機を具体化した第１の実施の形態について説明する。図１は本発明に係るテレビジョン受信機１０のブロック構成図である。テレビジョン受信機１０は、リモコン装置３０（操作装置）等の操作に基づいて、アンテナ２０が受信したテレビジョン放送信号から、映像信号と音声信号とを復調して映像と音声を出力するためのものである。
【００３２】
そのため、テレビジョン受信機１０は、アンテナ２０が受信したテレビジョン放送より、制御部１９からの指示に基づいて、チューナー１１（受信手段）が特定周波数帯のテレビジョン放送を選択して受信する。さらに、フロントエンド１２並びに、デコーダ１３により映像信号と音声信号を生成した後、音声出力部１４、画像表示部１５にて音声と映像とが出力される。さらに、ＯＳＤ回路１６にて所定の映像データを映像信号に重畳して画面に所定のメニュー画面を表示することが可能である。
【００３３】
チューナー１１は、制御部１９から入力される制御信号に従って、所定のテレビジョン放送信号を受信する。具体的には、チューナー１１は、制御部１９からの放送局選択信号を受信すると、アンテナ２０が受信したＶＨＦ帯やＵＨＦ帯の搬送波の内、所定の周波数帯と同調することで受信する周波数帯を選択する。このとき、制御部１９が出力する放送局選択信号は、リモコン装置３０のチャンネルキー３０ａ並びにチャンネルアップダウンキー３０ｂと対応している。そのため、チャンネルキー３０ａとチューナー１１が受信する搬送波との関係は、後述するプリセット設定にて設定されることとなる。選択された放送局に対応するテレビジョン放送信号は、その後、フロントエンド１２に出力される。
【００３４】
フロントエンド１２は、制御部１９から入力される制御信号に従って、チューナー１１から出力されたテレビジョン放送信号を中間周波信号に変換して、デコーダ１３に出力する。具体的には、チューナー１１が受信したテレビジョン放送信号は、搬送波である高周波信号と、データとしての中間周波信号とから構成される。そのため、フロントエンド１２は、高周波信号から中間周波信号を復調することにより、テレビジョン放送信号のデータを取り出す。
【００３５】
図２は、フロントエンド１２により復調されたテレビジョン放送信号を表すイメージ図である。同図より、テレビジョン放送信号１００は、トランスポートストリームによりデータが多重化された状態で送受信される。テレビジョン放送信号の構成の一例としては、受信したデータを特定するためのヘッダ領域１０１と、放送データが多重化されたペイロード領域１０２とから構成されている。ヘッダ領域１０１は、テレビジョン受信機１０が、受信したテレビジョン放送信号１００の識別を行うためのものである。構成の一例としては、同期を取るための領域、識別のためのパケットＩＤ領域、さらにはスクランブル制御のための領域が存在する。
【００３６】
ペイロード領域１０２は、テレビジョン受信機１０が受信したテレビジョン放送信号１００よりデータを取得するためのものである。また、ペイロード領域１０２には、映像データや音声データ１０２ｂそのものが多重化されるとともに、多重化されるデータの放送局やサービス情報を表すＳＩ１０２ａ（Service Information)が多重化されている。なお、電子番組表は、ＳＩ１０２ａを基に生成される。以降、ペイロード領域１０２に多重化されるＳＩ１０２ａが有する内容を番組情報として表記する。
【００３７】
デコーダ１３は、制御部１９から入力される制御信号に従って、フロントエンド１２から出力されたテレビジョン放送信号１００に対して所定のファイル形式(例えば、ＭＰＥＧ−２形式等)に応じた処理を施すことによって、テレビジョン放送信号１００を音声信号と映像信号とに分離してデコードする。そして、デコードした音声信号を音声出力部１４に出力するとともに、映像信号を画像表示部１５に出力する。
【００３８】
音声出力部１４は、音声を出力するためのものである。具体的には、音声出力部１４は、スピーカ機器等から成り、デコーダ１３から出力された音声信号に墓づく音声データに信号処理を施し音声を出力する。
【００３９】
画像表示部１５は、映像を表示するためのものである。画像表示部１５は、デコーダ１３から出力された映像信号に応じた映像や、デコーダ１３から出力され、ＯＳＤ回路１６によりＯＳＤ表示信号が合成された映像信号に応じた画像を表示する。画像表示部１５の具体的な構成としては、ＲＧＢの各色を表現する画素がマトリクス状に配置されて画像を表示するモニター１５ａと、モニター１５ａの各画素に対応させて取得した映像信号を分割する信号処理部１５ｂと、信号処理部１５ｂが分割した映像信号を基に、モニター１５ａを駆動するための駆動信号を生成する駆動信号出力部１５ｃとから成る。
【００４０】
上述した画像表示部１５の構成により、デコーダ１３から入力された映像信号は、信号処理部１５ｂによりモニター１５ａの画素の配置に対応するよう分割された後、駆動信号出力部１５ｃに出力される。駆動信号出力部１５ｃは、分割された各映像信号よりアナログの駆動信号を生成し、モニター１５ａの各画素に出力する。このとき、駆動信号の電圧値、並びに出力先の各画素の位置は制御部１９にて制御されている。さらに、画像表示部１５は、制御部１９の制御の基、モニター１５ａの画面を分割して、分割した各画面に個別の映像を表示することが可能である。そのため、画像表示部１５は、選択画面表示手段を実現する。なお、画像表示部１５の具体的な一例としては、液晶表示装置、プラズマディスプレイ装置、さらにはブランウン間型ディスプレイ装置等が挙げられる。
【００４１】
ＯＳＤ回路１６は、例えば、制御部１９から入力される制御信号に従って、画像表示部１５に所定のＯＳＤ表示(オンスクリーンディスプレイ表示)をさせるためのＯＳＤ表示信号を、デコーダ１３から画像表示部１５に出力される映像信号に合成する。
【００４２】
リモコン受信部１７は、リモコン装置３０から送信された各種信号を受信し、当該各種信号に基づく各種データを、制御部１９に出力する。本実施の形態では、主に放送局切り替え信号を主に説明を行う。
【００４３】
リモコン装置３０は、使用者によって操作され、当該操作に応じた信号をリモコン受信部１７に送信する。具体的には、リモコン装置３０は、選局する放送局を指定する際に操作される、チャンネルキー３０ａやチャンネルアップ/ダウンキー３０ｂなどを有する。
【００４４】
記録部１８は、例えば、磁気的記録媒体、光学的記録媒体、若しくは半導体メモリで構成されている。具体的には、記録部１８には、電子番組表１８ａ１を含むチャンネルマップ１８ａ等が記録されている。
【００４５】
チャンネルマップ１８ａは、例えば、番組情報等を記録している。具体的には、チャンネルマップ１８ａは、例えば、リモコン装置３０のチャンネルキー３０ａやチャンネルアップ/ダウンキー３０ｂに割り当てられた仮想チャンネルの番号と、物理チャンネルの番号等の情報などを対応付けて記録している。
【００４６】
制御部１９は、当該テレビジョン受信機１０を制御するためのものである。そのため、制御部１９は、制御のための演算を行うＣＰＵ１９ａと、ＣＰＵ１９ａが所定の演算を行うためのプログラムやテーブルを記録する不揮発メモリとしてのＲＯＭ１９ｂ、さらには、ＣＰＵ１９ａがプログラムを展開する領域や、演算結果の一時記録領域を有するＲＡＭ１９ｃとを備えている。
【００４７】
ＣＰＵ１９ａは、ＲＯＭ１９ｂに記録されたテレビジョン受信機１０用の各種処理プログラムに従って、各種の制御動作を行う。
【００４８】
ＲＡＭ１９ｃは、ＣＰＵ１９ａによって実行される処理プログラムなどを展開するためのプログラム格納領域や、入カデータや上記処理プログラムが実行される隙に生じる処理結果などを格納するデータ格納領城などを備える。
【００４９】
ＲＯＭ１９ｂ、テレビジョン受像機１０で実行可能なシステムプログラム、当該システムプログラムで実行可能な各種処理プログラム、これら各種処理プログラムを実行する際に使用されるデータ、ＣＰＵ１９ａによって演算処理された各種結果のデータなどを記録する。なお、プログラムは、コンピュータが読み取り可能なプログラムコードの形でＲＯＭ１９ｂに記録されている。具体的には、ＲＯＭ１９ｂは、例えば、送信プログラム１９ｂ１やプリセット設定プログラム１９ｂ２等を記録している。
【００５０】
送信プログラム１９ｂ１は、リモコン装置３０のチャンネルキー３０ａおよび放送局アップ／ダウンキー３０ｂの操作に基づいて、チューナー１１が受信するテレビジョン放送信号を選択するためのものである。具体的には、リモコン装置３０の操作により、所定の放送局が選択されると、ＣＰＵ１９ａは記録部１８に記録されたチャンネルマップ１８ａを参照する。次に、ＣＰＵ１９ａは参照したチャンネルマップ１８ａを基に、チューナー１１が受信するテレビジョン放送電波の周波数と同調するようチューナー１１を制御する。これにより、チューナー１１は、受信するテレビジョン放送電波と同期を取ることで、リモコン装置３０により選択された放送局を受信する。
【００５１】
プリセット設定プログラム１９ｂ２は、使用者が選択する放送局とチューナー１１が受信する受信周波数との対応を取るためのものである。具体的には、リモコン装置３０の操作により所定のチャンネル番号が選択されると、ＣＰＵ１９ａはチューナー１１にそのチャンネル番号に対応したテレビジョン放送の周波数帯と同調して受信を行うよう指示を出す。そのため、事前に、チャンネル番号とチューナー１１が同調する周波数との対応関係を設定しておく必要がある。そこで、プリセット設定プログラム１９ｂ２は、ＣＰＵ１９ａに上記したチャンネル番号とチューナー１１が同調する周波数との対応関係の設定を行う。以下に本発明のプリセット設定についてさらに具体的な説明を行う。
【００５２】
（１−２）プリセット設定の方法
本発明の実施の形態に係るテレビジョン受信機１０はプリセット設定を行う際、設定を行い易くすし、さらには設定後の使用者の使い勝手を向上させるため、以下の構成としている。つまり、プリセット設定時に、画面を子画面に分割して受信可能なテレビジョン放送の放送局を表示するとともに、各子画面に表示した放送局を使用者の任意のチャンネル番号に設定することが可能である。これにより、ディジタル放送等のテレビジョン放送信号において放送局数が多い場合でも、まず、画面を見ながら放送局を選択してプリセット設定を行うことができる。さらに、使用者の視聴頻度の高い放送局を優先してチャンネル番号に割り当てることにより、その後の放送局選択の使い勝手を向上させることが可能である。
【００５３】
図３は、本発明のプリセット設定プログラムによりＣＰＵ１９ａが実行するフローチャートである。以下図３に表すフローチャートを中心に説明を行う。まず、リモコン装置３０等の操作により使用者がプリセット設定を選択すると、ＣＰＵ１９ａが上記指示を受けて、チューナー１１に受信可能な放送局を全て受信するよう指示を出す（ステップＳ１００）。このとき、チューナー１１が、テレビジョン放送信号の受信を行う手法としては、チューナー１１を複数配置することで、複数の放送局の受信に対応するものであってもよいし、所定周期ごとにチューナー１１が受信する受信周波数を変化させるものであってもよい。また、受信したテレビジョン放送信号にデータが多重化されているかを検出する手法としては、一般的にテレビジョン放送信号に同期信号が多重化されているかを検出する方法を取ればよい。
【００５４】
次に、ＣＰＵ１９ａは、受信した放送局の番組情報をテレビジョン放送信号のペイロード領域１０２から取得し記録部１８に記録する（ステップＳ１１０）。さらに、ＣＰＵ１９ａは、画面を子画面に分割して、各子画面に受信した放送局の番組を表示するよう指示を出す（ステップＳ１２０）。つまり、受信可能な番組情報の数、並びに一画面に表示させる子画面の数に応じて画面を子画面に分割していくこととなる。具体的には、ＣＰＵ１９ａは、チューナー１１が受信したテレビジョン放送信号の放送局の所定数を画面上に表示できるよう、信号処理部１５ｂを制御する。これにより、モニター１５ａの表示領域は分割され、画面上に分割された子画面として受信された放送局の番組が表示される。これ以降、使用者は画面を参照しながらプリセット設定を行うこととなる。
【００５５】
図４は、画面上に表示される各放送局を表す図である。同図より、画面上に６個の子画面が表示され、各子画面には放送局Ａ〜Ｆまでが表示されている。さらに、各子画面の下には、放送局を現す文字列が表示される。放送局を表す文字列は、ＯＳＤ回路１６によるＯＳＤ処理にて画面上に表示されている。ＯＳＤ回路１６が表示を行う具体的な手法としては、取得した番組情報を基にＣＰＵ１９ａの指示の基、文字列を製作するものである。なお、ＯＳＤ回路１６により表示される文字列の内容は放送局名に限定されず、番組情報に記録されるものであれば使用者の任意で選択可能である。無論、画面に表示される子画面の数を６個としたのは、使用者が放送局の確認を行い易くしたためであり、子画面の数はこれに限定されない。なお、画面に表示されない他の受信可能な放送局は次画面で表示されることとなる。
【００５６】
また、同一の放送局が受信された場合は、一方の放送局を子画面に表示させないことも可能である。具体的には、ディジタル放送において、物理チャンネルに重畳されて送信される仮想チャンネルの放送内容が、上記物理チャンネルと同等の内容であることがある。このような場合、ＣＰＵ１９ａは取得した番組情報を基に、番組情報の重複を判断して、一方のチャンネルを画面に非表示としてもよい。これにより、ユーザは重複した番組をチャンネルキーに割り当てるという無駄を排除することができる。
【００５７】
このとき、チューナー１１が各子画面に放送局の番組を表示する手法として以下の方法が挙げられる。つまり、チューナー１１は、所定周期で受信周波数を変化させることにより、映像を子画面に順次表示していく。また、前述したように複数のチューナー１１を実装する場合は、各チューナー１１が受信するテレビジョン放送信号にて映像を表示するものであってもよい。
【００５８】
画面上に、各放送局が表示される状態で、使用者がリモコン装置３０等の操作により各チャンネル番号に対応させる放送局を選択する設定操作を行うと、ＣＰＵ１９ａは上記指示を受付け（ステップＳ１３０）、プリセット設定を行うよう指示を出す（ステップＳ１４０）。具体的には、チューナー１１は、選択された子画面に放送される放送局の周波数とチャンネル番号との対応を取る。
【００５９】
図５は、子画面に表示される放送局がプリセット設定された後に、画面上から消去される様子を表す図である。今、放送局Ａがチャンネルキーのチャンネル番号１にプリセットされる場合を想定する。このとき、画面上のカーソルにて放送局Ａを表示する子画面が選択されると、画面左下に、「ＣＨ１…放送局Ａ」の文字列が表示される。さらに、画面右上の放送局Ａが表示されていた子画面が消去される。これにより、使用者は画面左下の文字列を見ながら、放送局Ａがチャンネル１にプリセット設定されたことを確認することができる。以下同様に他の子画面に表示された放送局もプリセット設定されるごとに消去され、画面下側に同様に文字列が表示されていくこととなる。
【００６０】
上述したプリセット設定を繰り返し、受信可能な全ての放送局がプリセット設定されると（ステップＳ１５０）、ＣＰＵ１９ａは、プリセット設定により対応付けられた放送局の周波数帯とチャンネル番号とを、記録部１８のチャンネルマップ１８ａに記録する（ステップＳ１６０）。これ以後、リモコン装置３０等のチャンネルキー３０ａや放送局アップダウンキー３０ｂを操作すると、ＣＰＵ１９ａは記録部１８のチャンネルマップ１８ａを参照して、チューナー１１に選択されたチャンネル番号に対応するテレビジョン放送信号を受信するよう指示を出す。
【００６１】
（２）第一の実施の形態のまとめ
以上説明したように、第一の実施の形態に係るテレビジョン受信機１０は、プリセット設定をする際、まず画面を複数の子画面に分割する。さらに、分割した子画面に受信可能な放送局の番組を表示して、使用者が任意のチャンネル番号に画面に表示された放送局を割り当てを行う。これにより、使用者はチャンネル番号と放送局との設定を任意で選択できるため、使用者の嗜好に対応させた使用形態を反映させることができる。
【００６２】
（３）第二の実施の形態
前述した第一の実施の形態に係るテレビジョン受信機１０では、プリセット設定を行う際、画面上に選択可能な全ての放送局の番組を表示させて、使用者にチャンネル番号の割り当てを促した。しかしながら、画面に放送局を表示する方法としてはこれに限定されず、様々な手法が考えられる。そこで、第二の実施の形態では、プリセット設定を行うために画面に番組を表示する際、画面に表示する番組を番組情報を基に集約させて表示する構成とした。具体的には、予め優先してプリセットを行いたい放送局の番組情報（例えば、スポーツ放送局等のジャンル）を登録しておくことで、画面に受信可能な放送局が表示される際、類似の番組情報を有する放送局を一画面で表示することとした。以下に具体的な説明を行う。
【００６３】
図６は、第二の実施の形態に係る画面上に表示される子画面を表す図である。同図より、一画面にて表示される３つの子画面には、いずれも番組情報がスポーツに類似する放送局が表示されている。具体的には、受信可能な放送局にスポーツに関係がある番組情報（例えば、野球、サッカー、スポーツ等）を有する放送局が３放送局だけだったため、画面上には３つの子画面しか表示されていない。無論、番組情報にスポーツに関係する情報を有さないその他の放送局も、次画面にて第一の実施の形態と同様に表示されることとなる。そのため、使用者は最初の画面で表示された放送局をプリセットした後、次画面で表示される放送局のプリセットを行うこととなる。なお、このとき、次画面以降の放送局を自動でプリセットさせるものであってもよい。
【００６４】
図７は、第二の実施の形態にてプリセットプログラムにてＣＰＵ１９ａが実施するフローチャートである。以下第一の実施の形態と同様に図７に示すフローチャートを中心に説明を行う。まず、ＣＰＵ１９ａは、使用者から優先して設定を行う放送局に関連する番組情報の入力を受け付ける（ステップＳ２００）。このとき、優先してプリセット設定を行う放送局のジャンル等は一つに限定されず、複数であってもよい。この場合、図６に表示された画面にてプリセット設定を行った後、更に次画面以降で同様に表示された放送局のプリセット設定を行い、最後に残りの放送局のプリセット設定を行うこととなる。
【００６５】
リモコン装置３０等の操作により使用者が優先してプリセット設定を行う放送局の番組情報を入力した後、まず、ＣＰＵ１９ａはチューナー１１に受信可能な放送局を全て受信するよう指示を出す（ステップＳ２１０）。次に、ＣＰＵ１９ａは、受信した放送局の番組情報をテレビジョン放送信号のペイロード領域から取得し、記録部１８に記録する（ステップＳ２２０）。さらに、ＣＰＵ１９ａは、画面を子画面に分割して、各子画面に優先して表示を行うテレビジョン放送信号の放送局を表示するよう指示を出す（ステップＳ２３０）。
【００６６】
画面上に、各放送局が表示される状態で、使用者がリモコン装置３０等の操作により各チャンネル番号に対応させる放送局を選択する設定操作を行うと、ＣＰＵ１９ａは上記指示を受付け（ステップＳ２４０）、プリセット設定を行うよう指示を出す（ステップＳ２５０）。上述したプリセット設定を繰り返し、予め設定した番組情報に対応する全ての放送局がプリセット設定されると（ステップＳ２６０）、これ以後、残りの受信可能な放送局を第一の実施の形態と同様にプリセット設定していく（ステップＳ２７０〜ステップＳ３００）。最後に、ＣＰＵ１９ａは、設定を行ったチャンネル番号と受信周波数との関係を記録部１８に記録する。これにより、プリセット設定を終了する。
【００６７】
（４）第二の実施の形態のまとめ
以上説明したように、第二の実施の形態では、第一の実施の形態同様、受信可能な放送局の番組を子画面で表示することで、使用者にプリセットを行う際の放送局選択の手助けとする。それに加えて、第二の実施の形態では、画面に放送局を表示する際、予め登録された番組情報を基に、一画面に表示する放送局を集約させて表示することが可能である。そのため、使用者は視聴頻度の高い放送局に関係する番組情報を基に、優先してオートプリセットを実施することができる。
【００６８】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００６９】
【図１】本発明に係るテレビジョン受信機のブロック構成図である。
【図２】フロントエンドにより復調されたテレビジョン放送信号を表すイメージ図である。
【図３】本発明のプリセット設定プログラムによりＣＰＵが実行するフローチャートである。
【図４】画面上に表示される各放送局を表す図である。
【図５】子画面に表示される放送局がプリセット設定された後に、画面上から消去される様子を表す図である。
【図６】第二の実施の形態に係る画面上に表示される子画面を表す図である。
【図７】第二の実施の形態にてプリセットプログラムにてＣＰＵが実施するフローチャートである。
【符号の説明】
【００７０】
１０…テレビジョン受信機、１１…チューナー、１２…フロントエンド、１３…デコーダ、１４…音声出力部、１５…画像表示部、１５ａ…モニター、１５ｂ…信号処理部、１５ｃ…駆動信号出力部、１６…ＯＳＤ回路、１７…リモコン受信部、１８…記録部、１８ａ…チャンネルマップ、１８ａ１…電子番組表、１９…制御部、１９ａ…ＣＰＵ、１９ｂ…ＲＯＭ、１９ｂ１…送信プログラム、１９ｂ２…プリセット設定プログラム、１９ｃ…ＲＡＭ、２０…アンテナ、３０…リモコン装置、３０ａ…チャンネルキー、３０ｂ…チャンネルアップ/ダウンキー、１００…テレビジョン放送信号、１０１…ヘッダ領域、１０２…ペイロード領域、１０２ａ…ＳＩ、１０２ｂ…映像データ
【図１】
2008172344.tif 000003
【図２】
2008172344.tif 000004
【図３】
2008172344.tif 000005
【図４】
2008172344.tif 000006
【図５】
2008172344.tif 000007
【図６】
2008172344.tif 000008
【図７】
2008172344.tif 000009